(57)【特許請求の範囲】
【請求項１】
第１局により走査される媒体上で動作する少なくとも１つの第２局に関する情報を導出する方法において、
（ａ）前記第１局により、少なくとも１つの連続する感知期間を有する所定の感知期間の間において、前記少なくとも１つの第２局による前記媒体上の少なくとも１つの活動に関して走査するステップと、
（ｂ）前記第１局により、前記少なくとも１つの第２局の前記走査された少なくとも１つの活動を測定するステップと、
（ｃ）前記第１局により、前記少なくとも１つの第２局の前記測定された走査された少なくとも１つの活動から、前記所定の感知期間にわたる該第２局の少なくとも１つの媒体アクセス活動パターンを導出するステップと、
（ｆ）前記少なくとも１つの第２局の少なくとも１つの媒体アクセス活動パターンの導出に対する媒体感知測定要求を前記第１局により更なる局から受信するステップと、
前記少なくとも１つの第２局の少なくとも１つの媒体アクセス活動パターンを含む媒体感知測定レポートを作成するステップと、
（ｇ）前記受信された媒体感知測定要求に応答して、前記第１局により導出された前記少なくとも１つの第２局の少なくとも１つの媒体アクセス活動パターンを含む前記媒体感知測定レポートを前記第１局により少なくとも前記更なる局に送信するステップと、
を有することを特徴とする方法。
【請求項２】
請求項１に記載の方法において、前記ステップ（ａ）が、
（a.1）前記感知期間の間における少なくとも１つのビジー期間及び少なくとも１つのアイドル期間のうちの少なくとも１つを検出するステップ、
を更に有していることを特徴とする方法。
【請求項３】
請求項２に記載の方法において、前記ステップ（a.1）が、
（a.1.1）前記走査された活動の受信パワーレベルを累算するステップと、
（a.1.2）前記累算された受信パワーレベルが純粋なパワー検出を用いて少なくとも１つの所定のパワー閾を超える条件及びプリアンブルが検出される条件からなる群のうちの少なくとも１つの条件が満たされる場合に、前記少なくとも１つのビジー期間を同時に感知するか、連続して感知するかの少なくとも１つのステップ、
（a.1.3）前記累算された受信パワーレベルが前記少なくとも１つの所定のパワー閾より低く、且つ、プリアンブルが検出されない場合に、前記少なくとも１つのアイドル期間を前記感知期間の間に同時に感知するか、連続する感知期間の間に順次感知するかの少なくとも１つのステップ、
を更に有することを特徴とする方法。
【請求項４】
請求項１に記載の方法において、前記ステップ（ａ）が仮想ビジー期間を検出するステップ（a.2）を更に有していることを特徴とする方法。
【請求項５】
請求項４に記載の方法において、前記ステップ（a.2）が、前記累算された受信パワーレベルに無関係に、検出された仮想ビジー期間を、前記少なくとも１つの第２局により送信に使用されない該少なくとも１つの第２局による割り当てられた媒体として感知するステップ（a.2.1）を更に有していることを特徴とする方法。
【請求項６】
請求項５に記載の方法において、前記ステップ（ｂ）が、前記感知期間にわたる前記少なくとも１つの走査された活動の絶対発生数及び合計継続時間を確かめるステップ（b.1）を更に有していることを特徴とする方法。
【請求項７】
請求項６に記載の方法において、前記ステップ（ｃ）が、前記少なくとも１つの活動の前記合計継続時間から、前記感知期間の間に前記少なくとも１つの活動が発生した時間のパーセントを計算するステップ（c.1）を更に有していることを特徴とする方法。
【請求項８】
請求項７に記載の方法において、
少なくとも１つの連続する感知期間を有する前記所定の期間の間に前記ステップ（ａ）ないし（ｃ）を実行するステップと、
（ｄ）前記所定の期間における前記少なくとも１つの感知期間の間に発生した前記少なくとも１つの活動の絶対発生数を、前記所定の期間にわたる前記少なくとも１つの活動のヒストグラムにより表すステップと、
を更に有することを特徴とする方法。
【請求項９】
請求項１に記載の方法において、前記導出された少なくとも１つの媒体アクセス活動パターンを用いて、
ｉ．前記少なくとも１つの第２局が非802.11装置であること、
ii．前記少なくとも１つの第２局が802.11e装置であること、
iii．クオリティ・オブ・サービス（ＱｏＳ）パラメータセットが前記少なくとも１つの第２局により適用されていること、
iv．前記少なくとも１つの第２局がハイブリッド調整機能（ＨＣＦ）を使用すること、
v．前記少なくとも１つの第２局がIEEE 802.11b及びIEEE 802.11gのうちの一方であること、
vi．前記少なくとも１つの第２局が少なくとも前記第１局から隠れていること、
のうちの少なくとも１つを発見するステップ（ｅ）を更に有していることを特徴とする方法。
【請求項１０】
請求項１に記載の方法において、前記受信するステップ（ｆ）が、
【表１】
0004480716.tif 000002
なるフィールドを有する媒体感知測定要求を受信するステップ（f.1）を更に有し、これらフィールドは、
・当該測定要求が当てはまるチャンネル番号を示すようなチャンネル番号（３０１）、
・周波数帯域を示すようなチャンネル帯域（３０２）、
・タイマ単位（ＴＵ）で表された、前記要求された測定の継続時間に等しく設定された測定継続時間（３０３）、
・受信パワー指示子（ＲＰＩ）時間ヒストグラム、クリアチャンネル評価（ＣＣＡ）アイドル時間ヒストグラム、クリアチャンネル評価（ＣＣＡ）ビジー時間ヒストグラム及びネットワーク割当ベクトル（ＮＡＶ）ビジー時間ヒストグラムからなる群から選択された、なされるべき媒体感知測定の時間ヒストグラムサブタイプを示すような媒体感知測定サブタイプ（３０４）、
・前記第１局のアンテナコネクタにおいて見た前記受信パワーレベルの量子化された測定値として定義される受信パワー指示子（ＲＰＩ）（３０５）、
・マイクロ秒で表された、第１ビンの位置を示すビンオフセット（３０６）、
・スロット時間で表された、媒体感知イベントが当該ビン内であるとしてカウントされる期間を示すようなビン期間（３０７）、及び
・当該時間ヒストグラムによりカバーされる期間の合計数を表すようなビン数（３０８）、
であり、
前記送信するステップ（ｇ）が、
【表２】
0004480716.tif 000003
なるフィールドを有する媒体感知測定レポートを送信するステップ（g.1）を更に有し、これらフィールドが、
・当該媒体測定レポートが当てはまるチャンネル番号を示すようなチャンネル番号（４０１）、
・当該チャンネル番号が当てはまる測定された周波数帯域を示すようなチャンネル帯域（４０２）、
・タイマ単位（ＴＵ）で表された、当該媒体感知時間ヒストグラムレポートが測定された継続時間に等しく設定された測定継続時間（４０３）、
・媒体感知時間ヒストグラムレポートのサブタイプを示す媒体感知測定サブタイプ（４０４）、
・前記第１局のアンテナコネクタで見た、受信パワーレベルを識別するＲＰＩ閾（４０５）、
・マイクロ秒で表された、第１ビンの位置を示すビンオフセット（４０６）、
・スロット時間で表された、媒体感知イベントがこのビン内であるとしてカウントされた期間を示すようなビン間隔（４０７）、
・ビン数（４０８）であって、Ｎ個のビンにおいて、当該媒体感知時間ヒストグラムレポートが、当該測定継続時間にわたり指定されたチャンネルにおいて測定されたＮ個の期間のうちの対応するものにおける密度を含むようなビン数、
・当該測定の間において幾つのイベントがカウントされたかを示すような、媒体感知イベントの合計数（４０９）、及び
・Ｂｉｎｉ密度（０≦ｉ＜Ｎ）であって、当該局が時間での媒体感知イベントの確率分布を発生するようなＢｉｎｉ密度、
であることを特徴とする方法。
【請求項１１】
請求項１０に記載の方法において、前記ステップ（ｇ）が、
（g.2）前記Ｂｉｎｉ密度（０≦ｉ＜Ｎ）を算出するステップであって、当該局がアイドル及びビジーのうちの一方の観察される状態の連続した継続時間を観察し、媒体感知イベントが当該測定の間において、
ｉ０＋(ｉ＊Δｉ)＜ｔ≦ｉ０＋((ｉ＋１)＊Δｉ)      如何なるｉ＜Ｎ−１に対しても
ｉ０＋(Ｎ＊Δｉ)≦ｔ                            ｉ＝Ｎ−１に対して
なる時刻ｔで発生する場合に、カウンタBinｉ41(i-1)を１だけ増加するようなステップと、
（g.3）当該測定継続時間にわたる前記媒体感知イベントの前記確率分布を表すようなヒストグラムを発生するステップと、
を更に有することを特徴とする方法。
【請求項１２】
請求項１から請求項１１のいずれか一項に記載の方法における媒体感知測定レポートを用いて、第１局により走査される媒体上の少なくとも１つの第２局の媒体アクセス活動パターンに関する情報を得る方法において、
前記第１局により媒体感知測定要求を送信するステップと、
前記送信された要求に応答して、前記少なくとも１つの第２局の少なくとも１つの媒体アクセス活動パターンを含む媒体感知測定レポートを前記第１局により受信するステップと、
導出された前記少なくとも１つの第２局の前記少なくとも１つの媒体アクセス活動パターンを前記第１局により使用して、
ｉ．前記少なくとも１つの第２局が非802.11装置であること、
ii．前記少なくとも１つの第２局が802.11e装置であること、
iii．クオリティ・オブ・サービス（ＱｏＳ）パラメータセットが前記少なくとも１つの第２局により適用されていること、
iv．前記少なくとも１つの第２局がハイブリッド調整機能（ＨＣＦ）を使用すること、
v．前記少なくとも１つの第２局がIEEE 802.11b及びIEEE 802.11gのうちの一方であること、
vi．前記少なくとも１つの第２局が少なくとも前記第１局から隠れていること、
のうちの少なくとも１つを発見するステップと、
を有していることを特徴とする方法。
【請求項１３】
請求項１から請求項１２のいずれか一項に記載の方法における媒体感知測定レポートを用いて、第１局により走査される媒体上の少なくとも１つの第２局の媒体アクセス活動パターンに関する情報を得る方法において、
前記少なくとも１つの第２局の少なくとも１つの媒体アクセス活動パターンを有する媒体感知測定レポートを前記第１局により受信するステップと、
導出された前記少なくとも１つの第２局の前記少なくとも１つの媒体アクセス活動パターンを前記第１局により使用して、
ｉ．前記少なくとも１つの第２局が非802.11装置であること、
ii．前記少なくとも１つの第２局が802.11e装置であること、
iii．クオリティ・オブ・サービス（ＱｏＳ）パラメータセットが前記少なくとも１つの第２局により適用されていること、
iv．前記少なくとも１つの第２局がハイブリッド調整機能（ＨＣＦ）を使用すること、
ｖ．前記少なくとも１つの第２局がIEEE 802.11b及びIEEE 802.11gのうちの一方であること、
vi．前記少なくとも１つの第２局が少なくとも前記第１局から隠れていること、
のうちの少なくとも１つを発見するステップと、
を有していることを特徴とする方法。
【請求項１４】
第１局により走査される媒体上で動作する少なくとも１つの第２局に関する情報を得るための前記第１局における装置において、
少なくとも１つの連続する感知期間を有する所定の感知期間にわたり、前記少なくとも１つの第２局からの入力信号を受信する受信器と、
前記受信された入力信号の媒体アクセス活動パターンを測定すると共に、該活動からパターンを導出する活動収集／パターン導出回路と、
タイマ単位（ＴＵ）で時間基準を供給するタイマと、
前記活動収集／パターン導出回路及び前記タイマに結合され、前記所定の期間の間において前記入力信号のビジー活動及びアイドル活動の少なくとも一方を感知すると共に該活動から媒体アクセス活動パターンを時間にわたるヒストグラムとして導出するように構成された制御プロセッサと、
を有し、
前記第１局は、
前記少なくとも１つの第２局の少なくとも１つの媒体アクセスヒストグラムの導出に対する媒体感知測定要求を更なる局から受信し、
前記少なくとも１つの第２局の少なくとも１つの媒体アクセス活動パターンを含む媒体感知測定レポートを作成し、
前記受信された媒体感知測定要求に応答して、該第１局により導出された前記少なくとも１つの第２局の少なくとも１つの媒体アクセスヒストグラムを含む前記媒体感知測定レポートを少なくとも前記更なる局に送信する、
ことを特徴とする装置。
【請求項１５】
請求項１４に記載の装置において、
前記制御プロセッサに結合されて、前記時間にわたるヒストグラムを記憶するメモリ、
を更に有し、前記制御プロセッサが更に、
前記走査された活動の受信パワーレベルを累算し、
前記累算された受信パワーレベルが純粋なパワー検出を使用して少なくとも１つの所定のパワー閾を超える条件及びプリアンブルが検出される条件からなる群のうちの少なくとも１つの条件が満足される場合に、少なくとも１つのビジー期間の、感知期間における同時的感知及び連続する感知期間における連続する感知の少なくとも一方を実行し、
前記累算された受信パワーレベルが前記少なくとも１つの所定のパワー閾より低く、且つ、プリアンブルが検出されない場合に、少なくとも１つのアイドル期間の、前記感知期間における同時的感知及び連続する感知期間における連続する感知の少なくとも一方を実行する、
ように構成されていることを特徴とする装置。
【請求項１６】
請求項１５に記載の装置において、前記制御プロセッサが、更に、前記累算された受信パワーレベルとは無関係に、検出された仮想ビジー期間を前記少なくとも１つの第２局により送信に使用されない該少なくとも１つの第２局による割り当てられた媒体として感知するように構成されていることを特徴とする装置。
【請求項１７】
請求項１６に記載の装置において、前記制御プロセッサが、更に、導出された前記少なくとも１つの活動パターンを使用して、
ｉ．前記少なくとも１つの第２局が非802.11装置であること、
ii．前記少なくとも１つの第２局が802.11e装置であること、
iii．クオリティ・オブ・サービス（ＱｏＳ）パラメータセットが前記少なくとも１つの第２局により適用されていること、
iv．前記少なくとも１つの第２局がハイブリッド調整機能（ＨＣＦ）を使用すること、
v．前記少なくとも１つの第２局がIEEE 802.11b及びIEEE 802.11gのうちの一方であること、
vi．前記少なくとも１つの第２局が少なくとも前記第１局から隠れていること、
のうちの少なくとも１つを発見するように構成されていることを特徴とする装置。
【請求項１８】
請求項１４に記載の装置において、
前記媒体感知測定要求が、
【表３】
0004480716.tif 000004
なるフィールドを有し、これらフィールドは、
・当該測定要求が当てはまるチャンネル番号を示すようなチャンネル番号（３０１）、
・周波数帯域を示すようなチャンネル帯域（３０２）、
・タイマ単位（ＴＵ）で表された、前記要求された測定の継続時間に等しく設定された測定継続時間（３０３）、
・受信パワー指示子（ＲＰＩ）時間ヒストグラム、クリアチャンネル評価（ＣＣＡ）アイドル時間ヒストグラム、クリアチャンネル評価（ＣＣＡ）ビジー時間ヒストグラム及びネットワーク割当ベクトル（ＮＡＶ）ビジー時間ヒストグラムからなる群から選択された、なされるべき媒体感知測定の時間ヒストグラムサブタイプを示すような媒体感知測定サブタイプ（３０４）、
・前記第１局のアンテナコネクタにおいて見た前記受信パワーレベルの量子化された測定値として定義される受信パワー指示子（ＲＰＩ）（３０５）、
・マイクロ秒で表された、第１ビンの位置を示すビンオフセット（３０６）、
・スロット時間で表された、媒体感知イベントが当該ビン内であるとしてカウントされる期間を示すようなビン期間（３０７）、及び
・当該時間ヒストグラムによりカバーされる期間の合計数を表すようなビン数（３０８）、
であり、
前記媒体感知測定レポートが、
【表４】
0004480716.tif 000005
なるフィールドを有し、これらフィールドが、
・当該媒体測定レポートが当てはまるチャンネル番号を示すようなチャンネル番号（４０１）、
・当該チャンネル番号が当てはまる測定された周波数帯域を示すようなチャンネル帯域（４０２）、
・タイマ単位（ＴＵ）で表された、当該媒体感知時間ヒストグラムレポートが測定された継続時間に等しく設定された測定継続時間（４０３）、
・媒体感知時間ヒストグラムレポートのサブタイプを示す媒体感知測定サブタイプ（４０４）、
・前記第１局のアンテナコネクタで見た、受信パワーレベルを識別するＲＰＩ閾（４０５）、
・マイクロ秒で表された、第１ビンの位置を示すビンオフセット（４０６）、
・スロット時間で表された、媒体感知イベントがこのビン内であるとしてカウントされた期間を示すようなビン間隔（４０７）、
・ビン数（４０８）であって、Ｎ個のビンにおいて、当該媒体感知時間ヒストグラムレポートが、当該測定継続時間にわたり指定されたチャンネルにおいて測定されたＮ個の期間のうちの対応するものにおける密度を含むようなビン数、
・当該測定の間において幾つのイベントがカウントされたかを示すような、媒体感知イベントの合計数（４０９）、
・Ｂｉｎｉ密度（０≦ｉ＜Ｎ）であって、当該局が時間での媒体感知イベントの確率分布を発生するようなＢｉｎｉ密度、
であることを特徴とする装置。
【請求項１９】
請求項１８に記載の装置において、前記制御プロセッサが、更に、
アイドル又はビジーの一方の観察される状態に関して、前記Bini41(i-1)密度（０≦ｉ＜Ｎ）を計算し、ここで、前記第１局は前記観察される状態の連続した継続時間を観察すると共に、媒体感知イベントが当該測定の間において、
ｉ０＋(ｉ＊Δｉ)＜ｔ≦ｉ０＋((ｉ＋１)＊Δｉ)      如何なるｉ＜Ｎ−１に対しても
ｉ０＋(Ｎ＊Δｉ)≦ｔ                            ｉ＝Ｎ−１に対して
なる時刻ｔで発生する場合に、カウンタBinｉを１だけ増加し、
当該測定継続時間にわたる前記媒体感知イベントの前記確率分布を表すようなヒストグラムを発生する、
ように構成されていることを特徴とする装置。
【発明の詳細な説明】
【技術分野】
【０００１】
本発明は、無線ネットワークにおける媒体活動の測定及び斯かる測定媒体活動からの無線環境に関する情報の導出に関する。
【背景技術】
【０００２】
無線通信環境においては、多くのシステムが媒体を共有し、無線資源の管理を容易化するためには、斯かるシステムの媒体の使用に関する情報が必要である。媒体は共有されるので、何れのものも、媒体の使用を特徴付けるために伝送を監視し、伝送に関するデータを収集及び解析することができる。
【０００３】
しかしながら、媒体の他のユーザに対して、斯かる他のユーザの媒体の使用に関し直接問い合わせることは通常は可能ではなく、従って、このデータは、媒体上のトラフィックを感知し、このトラフィックからデータを収集して、実行されている活動及び斯かる活動に関連するパターンを導出することにより間接的に収集されねばならない。
【０００４】
無線ローカルエリアネットワークＷＬＡＮアプリケーションが普及するにつれて、斯様なデータを間接的に収集し、該データを解析し、無線ネットワークの活動を特徴付けるためのツールが発展している。これらは、スタックの層（レイヤ）の各々を観察して問題を暴くことが可能な無線プロトコル解析器等のツールを含む。
【０００５】
ツールの発展に伴い、無線ネットワークサービスに対する要求に追いつくために無線ネットワーク規格も発展している。ＷＬＡＮのＩＥＥＥ規格は、８０２．１１［１］となっている。該規格は、例えば８０２．１１ａ［２］及び８０２．１１ｂ［３］等の異なる物理レイヤを使用し、これらの文書の各々は参照によって本明細書に完全に記載されているかのように含まれるものとする。ＷＬＡＮ用のオリジナルのIEEE 802.11規格は低いデータスループットを提供したが、１１Mbit/s（Mbps）までの基本データレートをサポートするために、IEEE 802.11bが１９９９年に公表された。
【０００６】
今日配備されるＷＬＡＮの多くは802.11b技術を使用し、該技術は２.４ＧＨｚ帯域で動作し、４〜６Mbpsの範囲内の平均スループットで１１Mbpsの最大理論データレートをサポートする。多くの別の無線システムが２.４ＧＨｚ帯で動作している故に、干渉を最小化することが挑戦である。
【０００７】
しかしながら、ビデオ及び増大するマルチメディアアプリケーションが一層高いデータレートを必要とすることを認識して、ＩＥＥＥは、５ＧＨｚ帯で動作すると共に５４Mbpsまでのデータレートのために使用されるべき方法を指定するが、現実には２０〜２５Mbpsの範囲内のスループットを達成するような802.11a規格を採用した。国によって、802.11aは４、８又はそれ以上のチャンネルを有する。
【０００８】
802.11eは、例えば無線ＩＰ音声（VoWIP）のような遅れに敏感なアプリケーション等の、保証される品質が厳しいＷＬＡＮアプリケーション用のクォリティ・オブ・サービス（ＱｏＳ）のサポートを提供する。サービスの等級が、データ、音声及びビデオアプリケーションのためにＱｏＳの管理されたレベルを提供する。
【０００９】
802.11gは、６〜５４Mbpsの範囲のデータレート、３つの重なり合わないチャンネル、802.11b速度までの低速化を伴う802.11bとの後方互換性、及び種々の変調技術を提供する。
【００１０】
多くの非802.11装置が当該媒体を使用し、例えばブルートゥース装置、２.４ＧＨｚコードレス電話及び電子レンジでさえ干渉の源であり、しばしば、802.11ネットワークの劣った性能を生じさせる。
【発明の開示】
【発明が解決しようとする課題】
【００１１】
本発明は、無線媒体における使用中（ビジー）及びアイドル期間の感知結果が、走査される媒体上で動作する他の無線システムに関する使用パターンを導出するために使用されるような装置及び方法である。
【課題を解決するための手段】
【００１２】
好ましい実施例において、無線装置は無線媒体を、該媒体を使用する他の無線装置の活動に関する情報の収集（ここでは、測定と云う）をサポートするように感知する（この処理は、ここでは感知と云う）。他の無線装置は当該無線装置と同一の通信規格に準拠しても準拠しなくてもよく、当該無線装置と同一のネットワークの一部であってもなくてもよい。
【００１３】
好ましい実施例では、当該感知する装置は無線媒体を或る時間（以下、感知期間と云う）にわたり感知し、ビジー及び／又はアイドル期間のパターン、並びに／又はプロトコルに関係する時点のパターンを観察する。結果としてのパターンは、以下では感知結果と称する。
【００１４】
逃した又は失敗した検出にも左右されるが、以下の情報を上記感知結果から導出することができる（従って、以下では検出というより発見と称す）。
・非802.11装置の発見、
・媒体アイドル統計を測定することによる802.11e無線システムの発見、
・目標ビーコン送信時間（Target Beacon Transmission Time：ＴＢＴＴ）及び／又は送信権制限（Transmission Opportunity Limit：TXOPlimit）における挙動を測定することによる802.11e無線システムの発見。802.11eＭＡＣの１つの決定的な特徴は、送信権（ＴＸＯＰ）である。ＴＸＯＰは、開始時刻及び最大継続時間により規定されるような、局が送信を開始する権利を有する期間として定義される。ＴＸＯＰは、競合を介して獲得されるか（EDCF-TXOP）、又はポーリングを介してＨＣにより許諾される（polled-TXOP）。ＥＤＣＦ ＴＸＯＰの継続時間は、ビーコンフレーム内でＨＣにより分配されるＱＢＳＳワイドなTXOPlimitにより制限される。
・競合型媒体アクセスにおける優先度の発見、
・ランダムなバックオフ無しでの、最高の優先度を持つ802.11媒体アクセスの発見、
・802.11b／802.11g無線システムの発見、
・隠れた局（Hidden Stations）の発見。
【００１５】
本発明は、ＷＬＡＮの従来技術を、無線システムのタイプ及び挙動に関する情報を、これら無線システムと通信すること無しに、これらの活動パターンから導出する装置及び方法を提供することにより進歩させる。
【発明を実施するための最良の形態】
【００１６】
以下の記載においては、本発明の完全な理解を提供するために、限定というよりは説明の目的で、特定のアーキテクチャ、インターフェース及び技術等の特定の詳細を述べる。しかしながら、当業者にとっては、本発明が、これらの特定の詳細から逸脱した他の実施例においても実施することができることは明らかであろう。
【００１７】
図１Ａは、本発明の実施例が適用されるべき代表的な基本サービスセット（ＢＳＳ）無線ネットワークである。図１Ａに示されるように、アクセスポイント（ＡＰ）１００は複数の移動局（ＳＴＡｉ）１０１に結合され、これら移動局は無線リンク１０２を介して互いに及び上記ＡＰと通信する。本発明の重要な原理は、所与の精度のヒストグラムを要求及びレポートするメカニズムを提供して、ＡＰ１００及びＳＴＡｉ１０１の何れによっても斯かるヒストグラムからユーザの媒体活動を導出することができるようにすることである。図１Ｂは、本発明の実施例が適用されるべき代表的な独立基本サービスセット（ＩＢＳＳ）無線ネットワークである。図１Ｂに示されるように、複数の移動局（ＳＴＡｉ）１０１は、如何なるＡＰもなしで、無線リンク１０２を介して互いに通信する。図１Ａ〜１Ｂに示す各ネットワークは図示の目的で小型であることに注意されたい。実際には、殆どのネットワークはもっと多数の移動局ＳＴＡｉ１０１を含むことができる。
【００１８】
図２を参照すると、図１Ａ及び１ＢのＷＬＡＮ内のＡＰ１００及び各ＳＴＡｉ１０１は、図２のブロック図に示すようなアーキテクチャのシステムを含むことができる。ＡＰ１００及び各ＳＴＡｉ１０１の両者は、受信器２０１、復調器２０２、活動収集／パターン導出回路２０３、メモリ２０４、制御プロセッサ２０５、タイマ２０６、変調器２０７及び送信器２０８を含むことができる。図２の例示的システム２００は説明の目的のためのみのものである。本説明は特定の移動局の説明に通常使用される用語を参照するが、本説明及び概念は図２に示したものと非類似のアーキテクチャを持つシステムを含むような他の処理システムにも等しく当てはまる。
【００１９】
好ましい実施例において、受信器２０１及び送信器２０８はアンテナ（図示略）に結合され、所望のヒストグラム要求を送信し、受信されたヒストグラムレポート及び導出された感知結果を復調器２０２及び変調器２０７を各々介して対応するデジタルデータに変換する。前記活動パターン収集回路はプロセッサ２０５の制御の下で動作し、測定情報及び対応するタイムスタンプを有する受信された測定レポートフレームを処理するか、又は要求された若しくは周期的な（自律的）測定を行い、その場合、測定情報は対応するタイムスタンプと共に測定レポートフレーム内で伝送される。図１Ｂは、本発明のＩＢＳＳ及びＢＳＳIEEE 802.11ＷＬＡＮ実施例の両者に対する要求者と測定者との可能性のある組み合わせを示している。タイマ２０６は、測定レポートフレームに、レポートされている当該測定の開始時刻を示すタイムスタンプを設定するために使用される。
【００２０】
好ましい実施例においては、無線媒体の走査の一部として、無線装置は、純粋なパワー検出及びプリアンブル検出の少なくとも一方を用いて、無線信号の累算された受信パワーレベルがパワー閾を超えるようなビジー期間を検出する。
【００２１】
更に、無線装置は、無線信号の累算された受信パワーレベルがパワー閾より低いか、プリアンブルが検出されないかの少なくとも一方であるようなアイドル期間を検出する。
【００２２】
当該媒体がビジーとして感知されるか又はアイドルとして感知されるかは、適用されるパワー閾に依存する。他の実施例では、無線装置は複数の閾を適用することができ、異なるパターンが感知期間（１つの期間）の間に同時に収集されるか又は連続する感知期間（複数の期間）の間に順次収集される。
【００２３】
更に、他の実施例では、ビジー期間は、他の無線装置が当該媒体を割り当てるが該媒体を送信のために使用しないような期間として定義される（ここでは、“仮想ビジー期間”と呼ぶ）。この実施例では、無線信号の累算された受信パワーレベルがパワー閾より低くても、当該媒体はビジーであるとして感知され得る。
【００２４】
感知結果は、時間にわたるヒストグラム、及び／又は継続時間当たりのパーセント、及び／又は継続時間当たりの絶対数及び／又は完全な感知パターン及び／又は感知パターンの部分により表される。測定するＳＴＡは、当該チャンネルを聴取し、どれだけ長く該チャンネルがビジーであるかを表すようなヒストグラムを作成する。測定の完了時点で、当該聴取しているＳＴＡはビジー／アイドル期間の継続時間の確率（ここでは、パーセントと呼ぶ）を知る。例えば、測定しているＳＴＡは１分の間にわたり感知し（感知期間＝６０ｓ）、感知により当該チャンネルは当該時間のＸ１％においては継続時間（DURATION）＜１００ｍｓの間にビジーであり、当該時間のＸ２％においては１００ｍｓ＜継続時間＜２００ｍｓの間ビジーであり、当該時間のＸ３％においては２００ｍｓ＜継続時間＜３００ｍｓの間ビジーであると決定する。ＳＴＡは、この情報自体を使用し、レポートして戻さないか、又は該ＳＴＡは上記３つの値（密度、又は確率、又はパーセントとも云う）Ｘ１、Ｘ２及びＸ３をレポートして戻すか、又は両方である。
【００２５】
このように、好ましい実施例では、感知結果は、パワー閾、プリアンブル検出及び仮想ビジー期間パターンの少なくとも１つで得られる少なくとも１つ又はそれ以上のビジー及びアイドルパターンを有するか又は斯かるパターンから導出される。
【００２６】
感知結果は、他の無線装置のチャンネル活動に関する情報を含む。実際の測定、即ちビジー及びアイドル期間のパターンの解釈によるチャンネル活動に関する情報の収集は、好ましい実施例では図２に示すように構成される感知無線装置の少なくとも１つにより、及び恐らくは当該感知結果が通知される少なくとも他の同様に構成された装置により実行される。測定しているＳＴＡが感知結果を直接使用し、その感知結果を通知しないこともあり得る。
【００２７】
媒体を感知した後に、結果として異なるタイプの感知結果を得ることができる：
１．少なくとも１つのパワー閾に対する、パワー検出に基づく少なくとも１つの感知された媒体アイドルパターン；
２．少なくとも１つのパワー閾に対する、パワー検出に基づく少なくとも１つの感知された媒体ビジーパターン；
３．プリアンブル検出に基づく１つの感知された媒体アイドルパターン；
４．プリアンブル検出に基づく１つの感知された媒体ビジーパターン；
５．仮想ビジー期間に基づく１つの感知された媒体アイドルパターン；
６．仮想ビジー期間に基づく１つの感知された媒体ビジーパターン；
７．少なくとも１つのプロトコルに関係する時点を伴う１つの感知された媒体パターンであって、上記プロトコルに関係する点は、目標ビーコン送信時間（ＴＢＴＴ）及び無競合期間からなる群から選択される；
８．１〜７に記載したパターンの何れかの組み合わせ。
【００２８】
好ましい実施例では、無線媒体におけるビジー及びアイドル期間の感知結果は、当該走査される媒体上で動作する他の無線システムに関する情報を導出するために使用される。下記の情報は、逃した及び失敗した検出の影響を受けるが（従って、以下、検出というよりは発見と呼ぶ）、上記パターンから導出することができる。
【００２９】
[非802.11装置の発見]
好ましい実施例では、プリアンブル検出に基づく媒体ビジー及びアイドルパターン（又は複数のパターン）の少なくとも１つが、802.11無線システムが活動していないことを示す場合、且つ、同時に収集されたパワー検出に基づく媒体ビジー及びアイドルパターン（又は複数のパターン）の少なくとも１つが、当該媒体上での活動（例えば、相関された又は周期的アクセス）を示す場合、802.11に準拠していない無線システムが当該媒体上で動作していると結論される。
【００３０】
これが当てはまる場合、この媒体上での動作はローカルなサービス要件に依存してサービスサポートの喪失になり得ると結論付けられ、感知する無線システムは、対応するチャンネルを動作のためには選択しない。
【００３１】
[媒体アイドル統計値を測定することによる802.11e無線システムの発見]
802.11／802.11e無線システムが高い供給トラフィック（offered traffic）で動作する場合、局は頻繁に送信する。しばしば、このような状況においては、媒体アイドル継続時間は競合型媒体アクセスにより主として決まる。802.11無線システム及び802.11e無線システムは競合型媒体アクセス手順を異なって解釈するので、これらの対応する媒体アイドルパターンは相違する。この相違は、好ましい実施例では、これらシステム間を区別する手段として働く。802.11eとは対照的に、802.11無線システムは競合ウインドウ（分散調整フレーム間スペース（Distributed Coordination Interframe Space：ＤＩＦＳ）の後の）の最初のスロットに低い確率でアクセスするので、特に高い供給トラフィックの状況では、主に後のスロットにアクセスする。
【００３２】
媒体アイドルパターン（又は複数のパターン）が、802.11に対しては特徴的であるが802.11eに対してはそうでないような競合型媒体アクセス手順を示す場合、好ましい実施例では、当該媒体上では802.11に準拠するが802.11eに準拠しない無線システムが動作していると結論付けられる。これが当てはまるなら、この媒体上で動作する場合、ＱｏＳサポートを達成することは困難である。何故なら、当該媒体上で既に動作しているものはクオリティ・オブ・サービスＢＳＳ（ＱＢＳＳ）ではないからである。
【００３３】
[目標ビーコン送信時間（ＴＢＴＴ）における及び／又は送信権制限（TXOPlimit）における挙動を測定することによる802.11e無線システムの発見]
802.11無線システム及び802.11e無線システムはＴＢＴＴ時及び送信権の終了時には異なって振る舞う。802.11e無線システムはＴＢＴＴにわたって送信することはないが、802.11無線システムはＴＢＴＴにわたり送信する。加えて、802.11無線システムはTXOPlimitを使用することがない。従って、802.11無線システムは、結局、TXOPlimitより長い継続時間でフレーム交換を開始する。
【００３４】
好ましい実施例では、感知されたパターンの少なくとも１つがＴＢＴＴの前及びＴＢＴＴにわたり当該媒体がビジーであることを示し、且つ、該感知されたパターンが、フレーム交換がTXOPlimitより長い継続時間を有することを示す場合、当該媒体上では802.11に準拠するが802.11eには準拠しない無線システムが動作していると結論付けられる。この場合、好ましい実施例では、この媒体上ではＱｏＳサポートは保証することができない。何故なら、当該媒体上で既に動作しているものはＱＢＳＳではないからである。
【００３５】
[競合型媒体アクセスにおける優先度の発見]
802.11の競合型媒体アクセスに従い動作する無線システムは、異なる優先度に対して異なる媒体アクセスパラメータに基づきアクセス優先度をサポートする。これらのパラメータは、ここでは、ＱｏＳパラメータセットと称する。適用されるＱｏＳパラメータセットに関する情報は、既に他の802.11無線システムにより使用されている媒体上で動作する場合に、サポートされ得るＱｏＳを事前に推定する助けとなる。
【００３６】
当該媒体上で現在動作する802.11無線システムにより適用されたＱｏＳパラメータセットに関する詳細な情報を受信するより、斯かる適用されたＱｏＳパラメータセットは、好ましい実施例では、感知されたパターンから導出される。これは、無線システムが高い供給トラフィックで動作する場合に特に当てはまる。斯様な状況では、好ましい実施例では、媒体アイドル継続時間は競合型媒体アクセス手順により決定される。
【００３７】
好ましい実施例では、ＱｏＳパラメータセットが特徴的媒体アイドルパターンを形成し、一般的に媒体アクセスの優先度が高いほど、短いアイドル継続時間に対する確率が高くなると結論付けられる。
【００３８】
[ハイブリッド調整機能により制御されたアクセス（ＨＣＣＡ）の使用の発見]
媒体アイドルパターン（又は複数のパターン）が高優先度媒体アクセス継続時間のアイドル期間（点調整フレーム間スペース（ＰＩＦＳ）と称す）を示す場合、好ましい実施例では、802.11eに準拠し、且つ、無競合媒体アクセス（例えば、ポーリング）をＨＣＣＡの一部として適用する無線システムが当該媒体上で動作すると結論付けられる。これが当てはまる場合、好ましい実施例では、当該媒体上で動作する場合にＨＣＣＡの無競合媒体アクセスを適用しないと結論付けられる。何故なら、この媒体アクセスを適用した少なくとも１つの他の無線システムが既に存在するからである。即ち、好ましい実施例では、ＨＣＣＡ媒体アクセスを適用する少なくとも１つの他の無線システムが存在すると結論付けられる場合には常に、本発明のシステム及び方法は、ＨＣＦの無競合媒体アクセス、即ちＨＣＣＡを適用しない。
【００３９】
[802.11b／802.11g無線システムの発見]
異なるプリアンブル及びヘッダの継続時間のために、802.11b準拠フレーム及び802.11g準拠フレームは異なる送信継続時間を有し得る。802.11b無線システムが並列に動作していない時間に802.11gにより典型的に送信されるような、802.11g準拠フレームにとり特徴的な継続時間が存在する。
【００４０】
媒体ビジーパターン（又は複数のパターン）が802.11gにとり典型的なビジー継続時間を示す場合、好ましい実施例では、当該媒体上で動作している全ての無線システムは802.11gに準拠していると結論付けられる。これが当てはまる場合、好ましい実施例では、この媒体上で動作する802.11g無線システムは、該媒体が802.11b無線システム及び802.11g無線システムの間で共用される状況と比較して、より高いスループットを達成すると結論付けられる。
【００４１】
[隠れた局の発見]
802.11無線システムが動作する殆ど全ての場合において、データフレーム及び肯定応答（ＡＣＫ）フレームは連続して送信される。フレームがデータフレームであるか又はＡＣＫフレームであるかは、当該フレームを復号するか、又はフレーム継続時間に基づいて（当該媒体を感知する間の媒体ビジー継続時間及び／又は先行するアイドル継続時間の継続時間により示される）決定することができる。
【００４２】
時たま後続の期待されるＡＣＫ無しではあるが、データフレームが発見された場合、かつ、同時に仮想キャリア感知（ネットワーク割当ベクトル（ＮＡＶ））が、送信側無線局がＡＣＫフレームを期待したことを示す場合、好ましい実施例では、感知している局に対して少なくとも１つの局が隠れていると結論付けられる。追加のＮＡＶ指示子が、一層高い精度での該隠れた局の発見を提供する。というのは、該指示子はブロックＡＣＫ方策が適用される場合にも動作するのを可能にするからである。ブロックＡＣＫ方策は、802.11eにおける、データフレームを個々のＡＣＫフレーム無しでの（即ち、ブロックＡＣＫによる）送信を可能にする概念である。
【００４３】
更に、好ましい実施例では、感知局がフレームを当該局により拡張ＩＦＳ（ＥＩＦＳ）が使用されなければならないように受信した場合、該感知局に対して１以上の局が隠れていると結論付けられる。ＥＩＦＳは、フレームのプリアンブル及びヘッダは成功裏に検出されたが、フレーム受信の最後にエラーが発生した場合に、局により使用されねばならない。好ましい実施例では、進行中の受信の間に他の無線局が送信を開始した（これは、２つの局が互いに隠れている場合にのみ発生し得る）と結論付けられる。
【００４４】
更に、好ましい実施例では、進行中の送信の間において受信パワーが変化した場合、感知している局に対して少なくとも１つの局が隠れていると結論付けられる。
【００４５】
[媒体感知測定要求３２０及びレポート４２０]
好ましい実施例においては、媒体アクセスパターンに関する情報を受信パワー指示子（ＲＰＩ）、クリアチャンネル評価（ＣＣＡ）及びネットワーク割当ベクトル（ＮＶＡ）範囲（カバレッジ）からなる群から選択された少なくとも１つの指示子を用いて収集するために、媒体感知測定要求３２０（図３Ａ〜３Ｄ）及び媒体感知測定レポート４２０（図４Ａ〜４Ｄ）が使用される。
【００４６】
好ましい実施例では、上記パターンは時間ヒストグラム、即ち少なくとも１つ又は幾つかのビジー及びアイドル継続時間の発生の確率（“密度”）を表す値の集合、としてレポートされる。異なるパワーレベルにわたりヒストグラムを提供する代わりに、好ましい実施例では、時間ヒストグラムは、ビジー及びアイドル継続時間に関する情報を、媒体感知測定要求で定義される精度で提供する。例えば、スロット精度での媒体感知時間ヒストグラムが収集される場合、該収集された情報から、他の802.11ＳＴＡの媒体活動に関する情報を導出することができる。時間ヒストグラムは、チャンネル上の他の無線システムの活動に関する詳細を提供する。この測定は、802.11ＷＬＡＮにおける改善された無線資源管理を可能にする。
【００４７】
媒体感知時間ヒストグラムの１つの利点は、他の無線装置の進行中の活動に関する情報を、測定期間の間に他のＡＰからのビーコン又はプローブ応答を受信すること無しに収集することができる点にある。これは、例えば部分的に重なり合う（Ｑ）ＢＳＳの場合において測定ＳＴＡが非ＡＰ
ＳＴＡからしかフレームを受信することができない場合に助けとなる。好ましい実施例においては、感知結果が収集されたら、下記の質問を発することにより無線資源管理が容易化される：
１．当該チャンネル上で動作する他の非802.11装置（例えば、マイクロウェーブ）が存在するか、及びこれら装置の媒体アクセスパターンはどの様なものか（答えは、恐らくはＲＰＩ及びＣＣＡ時間ヒストグラムを介して供給されるべきである）？
２．当該チャンネル上で動作する、ＱｏＳのサポートを妨げるかも知れないようなレガシ802.11装置が存在するか（答えは、ＣＣＡアイドル時間ヒストグラムを介して提供することができる）？
３．各優先度に対する供給トラフィック及び適用される拡張分散調整機能（ＥＤＣＦ）に関する当該チャンネルの現在のステータスはどの様なものか（答えは、ＣＣＡアイドル時間ヒストグラムを介して供給され得る）？
４．当該チャンネル上で既に動作している802.11装置と共用するために充分な容量が当該チャンネルに残されているか（答えは、恐らくはＲＰＩ及びＣＣＡアイドル時間ヒストグラムを介して供給されるべきである）？
５．このチャンネル上でＨＣＦの無競合チャンネルアクセスを用いて動作することが可能か、又は無競合チャンネルアクセスを用いて動作する他の装置が既に存在するか（答えは、ＣＣＡアイドル時間ヒストグラムを介して供給される）？
６．ビジー期間の最大継続時間はどれほどか、即ち、このチャンネル上で適用可能な最小TXOPlimitはどれほどか（答えは、ＣＣＡビジー時間ヒストグラムを介して供給される）？
【００４８】
[測定要求エレメント]
図３Ａは、測定要求エレメントに関する定義された測定タイプを示している。
【００４９】
[媒体感知時間ヒストグラム要求３２０]
媒体感知時間ヒストグラム要求３２０に対応する測定要求フレームのフォーマットが図３Ｂに示されている。
・チャンネル番号３０１は、当該測定要求が当てはまるチャンネル番号を示す（例えば、IEEE 802.11 17.3.8.3.2に定義されているように）；
・チャンネル帯域３０２は、当該チャンネル番号が当てはまる周波数帯域（図３Ｄ参照）を示す；
・測定継続時間３０３は、タイマ単位（ＴＵ）で表された、要求された測定の継続時間に等しく設定される；
・媒体感知測定サブタイプ３０４は、なすべき媒体感知測定のサブタイプを示す。媒体感知測定の利用可能なサブタイプは図３Ｅに定義されている。
・受信パワー指示子（ＲＰＩ）３０５は、アンテナコネクタにおいて見た受信パワーレベルの量子化された測定情報として定義される；
・ビンオフセット３０６は、マイクロ秒で表された第１ビンの位置を示す；
・ビン間隔３０７は、媒体感知イベントがこのビン内であるとしてカウントされる、スロット時間で表される期間を示す。媒体感知イベントは図４Ｃに定義される；
・ビン数３０８は、当該時間ヒストグラムによりカバーされる期間の合計数を示す。
【００５０】
[媒体感知時間ヒストグラムレポート４２０]
媒体感知時間ヒストグラムレポート４２０の測定レポートフィールドのフォーマットが図４Ｂに示されている。
・チャンネル番号４０１は、当該媒体感知時間ヒストグラムレポートが当てはまるチャンネル番号を示す。
・チャンネル帯域４０２は、当該チャンネル番号が当てはまる、表２からとられた、測定された周波数帯域を示す。
・測定継続時間４０３は、当該媒体感知時間ヒストグラムレポートが測定された、ＴＵで表された継続時間に等しく設定される。
・媒体感知測定サブタイプ４０４は、図３Ｅで定義されたような、媒体感知時間ヒストグラムレポートのサブタイプを示す。
・ＲＰＩ閾４０５は、アンテナコネクタで見た受信パワーレベル閾を、図４Ｄにより識別する。該ＲＰＩ閾は、ＲＰＩ時間ヒストグラムのための情報を収集している間において、媒体感知イベントが発生したかを決定するために使用される。
・ビンオフセット４０６は、マイクロ秒で表された第１ビンの位置を示す。
・ビン間隔４０７は、媒体感知イベントがこのビン内であるとしてカウントされる、スロット時間で表される期間を示す。媒体感知イベントは図４Ｃに定義される。
・ビン数４０８。Ｎ個のビンのうちの１つにおいて、媒体感知時間ヒストグラムレポートは、測定継続時間にわたり指定されたチャンネルにおいて測定されたＮ個の期間の各々における密度を含む。
・媒体感知イベントの合計数４０９は、当該測定の間において幾つのイベントがカウントされたかを示す。媒体感知イベントは図４Ｃに定義されている。
・Ｂｉｎｉ−Ｂｉｎｉ密度を算出するために（０≦ｉ＜Ｎ）、ＳＴＡは観察される状態の連続継続時間を観察し、カウンタＢｉをインクリメントする。媒体感知イベントが当該測定の間において、
ｉ０＋(ｉ＊Δｉ)＜ｔ≦ｉ０＋((ｉ＋１)＊Δｉ)      如何なるｉ＜Ｎ−１に対しても
ｉ０＋(Ｎ＊Δｉ)≦ｔ                            ｉ＝Ｎ−１に対して
なる時刻ｔで発生するなら、Ｂｉ当たりのイベント数は１だけ増加され、確率分布が発生され、媒体感知イベントの確率分布を時間で表すヒストグラムが発生されてＢｉｎｉに記憶される。
【００５１】
好ましい実施例では、１以上の媒体感知時間ヒストグラム要求を受信したＳＴＡは、要求された媒体感知測定サブタイプ（又は複数のサブタイプ）に従うヒストグラム（又は複数のヒストグラム）を含むような媒体感知時間ヒストグラムレポートで応答する。レポートされたデータの信頼レベルの評価を可能にする情報を提供するために、カウントされた媒体感知イベントの合計数も提供される。
【００５２】
媒体感知時間ヒストグラムの主たる利益として、他の無線装置の進行中の活動に関する情報が、測定期間の間において他のＡＰからのビーコン又はプローブ応答を受信すること無しで収集される。これは、例えば部分的に重なり合う（Ｑ）ＢＳＳの場合のように、測定するＳＴＡが、非ＡＰ
ＳＴＡからしかフレームを受信することができない場合に助けとなる。
１．第１に、媒体感知時間ヒストグラムを解析することにより、好ましい実施例では、走査チャンネル上で他の非802.11無線装置が動作しているか、及びこれら装置の媒体アクセスが時間にわたりどの様に分散されているかが決定される。この情報は、例えば、マイクロウェーブ装置を検出するために使用される。
２．第２に、媒体感知時間ヒストグラムを解析することにより、好ましい実施例では、当該チャンネル上で動作している、802.11eにより規定されたＱｏＳをサポートしないような802.11ＳＴＡが存在するかが決定される。例えば、TXOPlimitとのＮＡＶパターンの比較も、当該チャンネル上で動作しているレガシ802.11ＳＴＡが存在するかを示す。
３．第３に、媒体感知時間ヒストグラムを解析することにより、好ましい実施例では、当該チャンネル上で無競合アクセスが使用されるかが決定される。この情報を提供するために、例えばＣＣＡアイドルヒストグラムが使用される。
４．最後に、媒体感知時間ヒストグラムを解析することにより、好ましい実施例では、当該走査チャンネル上で動作する場合に、どのレベルのＱｏＳサポートが可能であるかが決定される。例えば、当該走査チャンネル上の使用されるＥＤＣＦパラメータ及び当該走査チャンネル上の供給トラフィックに関する情報を収集することができる。ＣＣＡアイドルヒストグラムは、異なる競合フレーム間スペース（Arbitration Inter Frame Spaces：ＡＩＦＳ）パラメータの異なる優先度に対してトラフィック負荷に関しての情報を提供するために使用される。当該走査チャンネルに、ＱｏＳ制約の下で無線資源を共有するための充分な容量が残っているかが決定される。レポートされた媒体感知時間ヒストグラムを分析することにより、当該走査チャンネル上で動作する場合に、ビジー時間の最大継続時間はどれほどか、及びどの様な最小TXOPlimitが適用可能であるかを更に決定することができる。
【００５３】
以上、本発明の好ましい実施例を解説及び記述したが、当業者によれば、本発明の真の範囲から逸脱すること無しに、変更及び変形を実施し、本発明の構成要素を均等物に置換することができることが理解されるであろう。更に、本発明の中心範囲から逸脱すること無しに、本発明の特定の状況及び教示に適合するように多数の変更を実施することができる。従って、本発明は、本発明を実施する最良の形態として開示された特定の実施例に限定されるべきものではなく、本発明は添付請求項の範囲内に入る全ての実施例を含むものである。
【参照文献のリスト】
【００５４】
[１]  IEEE 802.11 WG  Reference number ISO/IEC 8802-11:1999(E) IEEE Std 802.11, 1999 edition. International Standard [for] Information Technology-Telecommunications and information exchange between systems-Local and metropolitan area networks-Specific Requirements- Part 11: Wireless LAN Medium Access Control (MAC) and Physical Layer (PHY) specifications. New York USA: The Institute of Electrical and Electronics Engineers, Inc. 1999.
[２]  IEEE 802.11 WG  IEEE Std 802.11a, 1999 edition. Supplement to IEEE Standard for Information Technology - Telecommunications and information exchange between systems - Local and metropolitan area networks-Specific Requirements - Part 11: Wireless LAN Medium Access Control (MAC) and Physical Layer (PHY) specifications: High-speed Physical Layer in the 5 GHz Band. New York USA: The Institute of Electrical and Electronics Engineers, Inc. 1999.
[３]  IEEE 802.11 WG  IEEE Std 802.11b, 1999 edition. Supplement to IEEE Standard for Information Technology-Telecommunications and information exchange between systems-Local and metropolitan area networks-Specific Requirements- Part 11: Wireless LAN Medium Access Control (MAC) and Physical Layer (PHY) specifications: Higher-Speed Physical Layer Extension in the 2.4 GHz Band. New York USA: The Institute of Electrical and Electronics Engineers, Inc. 1999.
【図面の簡単な説明】
【００５５】
【図１Ａ】図１Ａは、本発明の実施例が適用されるべき基本サービスセット（ＢＳＳ）無線通信システムのアーキテクチャを示す簡略化されたブロック図である。
【図１Ｂ】図１Ｂは、本発明の実施例が適用されるべきアドホック型独立基本サービスセット（ＩＢＳＳ）無線通信システムのアーキテクチャを示す簡略化されたブロック図である。
【図２】図２は、本発明の一実施例による特定の基本サービスセット（ＢＳＳ）又はＩＢＳＳ内のアクセスポイント（ＡＰ）及び各局（ＳＴＡ）の簡略化されたブロック図を示す。
【図３Ａ】図３Ａは、本発明の一実施例による測定要求エレメントに関する測定タイプの定義を示す。
【図３Ｂ】図３Ｂは、本発明の一実施例による媒体感知時間ヒストグラム要求に関する測定要求のフィールドフォーマットを示す。
【図３Ｃ】図３Ｃは、無線測定要求に関するチャンネル番号定義を示す。
【図３Ｄ】図３Ｄは、無線測定要求に関するチャンネル帯域定義を示す。
【図３Ｅ】図３Ｅは、無線測定要求に関する媒体感知測定サブタイプ定義を示す。
【図４Ａ】図４Ａは、本発明の一実施例による媒体感知時間ヒストグラム要求エレメントに関する測定タイプ定義を示す。
【図４Ｂ】図４Ｂは、本発明の一実施例による媒体感知時間ヒストグラムレポートエレメントに関する測定レポートのフィールドフォーマットを示す。
【図４Ｃ】図４Ｃは、無線測定レポートに関する媒体感知イベント定義を示す。
【図４Ｄ】図４Ｄは、ＲＰＩ時間ヒストグラムの無線測定レポートに関するＲＰＩ閾の定義を示す。
【図１Ａ】
0004480716.tif 000006
【図１Ｂ】
0004480716.tif 000007
【図２】
0004480716.tif 000008
【図３Ａ】
0004480716.tif 000009
【図３Ｂ】
0004480716.tif 000010
【図３Ｃ】
0004480716.tif 000011
【図３Ｄ】
0004480716.tif 000012
【図３Ｅ】
0004480716.tif 000013
【図４Ａ】
0004480716.tif 000014
【図４Ｂ】
0004480716.tif 000015
【図４Ｃ】
0004480716.tif 000016
【図４Ｄ】
0004480716.tif 000017